(57)【要約】【課題】個人が選択した飲食物に含まれる栄養素の量及び／または熱量が、摂取が許される栄養素の量及び／または熱量の範囲を超えていたとしても、その飲食物の一部を食べ残す方法を作成することができる飲食管理装置等を提供する。【解決手段】ユーザーが摂取しようとする飲食物に関する食事情報を入力する入力部１０と、飲食物に含まれる栄養素及び／または熱量に関する飲食物情報３００、並びに栄養素及び／または熱量についてのユーザーの摂取目標値４００が記憶された記憶部５０と、食事情報に対応する飲食物情報３００と摂取目標値４００とを比較する演算部２０と、飲食物情報３００が摂取目標値４００を超えているときに、飲食物の食べ残し方を作成する食べ残し方作成部３０とを備える飲食管理装置。【選択図】図１
2006318169.tif 000002
【特許請求の範囲】
【請求項１】
ユーザーが摂取しようとする飲食物に関する食事情報を入力する入力部と、
前記飲食物に含まれる栄養素及び／または熱量に関する飲食物情報、並びに栄養素及び／または熱量についての前記ユーザーの摂取目標値が記憶された記憶部と、
前記食事情報に対応する前記飲食物情報と前記摂取目標値とを比較する演算部と、
前記飲食物情報が前記摂取目標値を超えているときに、前記飲食物の食べ残し方を作成する食べ残し方作成部とを備えた飲食管理装置。
【請求項２】
前記記憶部が前記ユーザーの飲食履歴情報をさらに記憶しており、
前記演算部は、前記食事情報に対応する前記飲食物情報と前記飲食履歴情報との合計と、前記摂取目標値とを比較し、
前記食べ残し方作成部は、前記飲食物情報と前記飲食履歴情報との合計が前記摂取目標値を超えているときに、前記飲食物の食べ残し方を作成する、請求項１記載の飲食管理装置。
【請求項３】
前記飲食物情報は、前記飲食物を構成する複数の食品それぞれに含まれる栄養素及び／または熱量に関する情報を有する、請求項１または２記載の飲食管理装置。
【請求項４】
前記飲食物情報は、前記飲食物に含まれる調味料の栄養素及び／または熱量に関する情報をさらに有する、請求項３記載の飲食管理装置。
【請求項５】
さらに、前記ユーザーが一日の起点となる時刻を指定する起点時刻指定部を備え、
前記演算部は、前記記憶部に記憶された前記飲食履歴情報の中から、前記指定された時刻を起点する一日分の前記飲食履歴情報を抽出し、前記食事情報に対応する前記飲食物情報と前記一日分の飲食履歴情報との合計と、前記摂取目標値とを比較する、請求項２記載の飲食管理装置。
【請求項６】
前記飲食物情報は、前記飲食物を構成する複数の食品及び／または調味料のうち、組み合わせて食べ残される食品及び／または調味料に関する情報を含む、請求項４記載の飲食管理装置。
【請求項７】
前記飲食物情報は、前記食品の一部に含まれる栄養素及び／または熱量に関する情報を有する、請求項３記載の飲食管理装置。
【請求項８】
前記記憶部が前記ユーザーの一日あたりの栄養素別食事摂取基準値をさらに記憶しており、前記演算部は前記栄養素別食事摂取基準値及び前記飲食物情報とに基づいて、前記栄養素別食事摂取基準値に対する充足率を算出し、前記食べ残し方作成部は、前記飲食物を構成する複数の食品のうち、前記充足率が最も高い栄養素を含む食品を食べ残すように前記飲食物の食べ残し方を作成する、請求項３記載の飲食管理装置。
【請求項９】
前記記憶部が前記ユーザーの疾病情報及び疾病の種類と摂取されるべき栄養素との組み合わせに関する疾病別栄養情報をさらに記憶しており、
前記食べ残し方作成部は、前記疾病情報及び前記疾病別栄養情報に基づいて、前記飲食物を構成する複数の食品のうち、前記ユーザーが摂取すべき栄養素を最も少なく含む食品を食べ残すように前記飲食物の食べ残し方を作成する、請求項３記載の飲食管理装置。
【請求項１０】
ユーザーが摂取しようとする飲食物に関する食事情報を入力する入力部と、
前記食事情報を送信する送信部とを備えたユーザー端末と、
前記ユーザー端末とネットワークを介して接続されたサーバとを含み、
前記サーバは、前記ユーザー端末から送信された前記食事情報を受信する受信部と、
前記飲食物に含まれる栄養素及び／または熱量に関する飲食物情報、並びに栄養素及び／または熱量についての前記ユーザーの摂取目標値が記憶された記憶部と、
前記食事情報に対応する前記飲食物情報と前記摂取目標値とを比較する演算部と、
前記飲食物情報が前記摂取目標値を超えているときに、前記飲食物の食べ残し方を作成する食べ残し方作成部とを備えた、飲食管理システム。
【請求項１１】
ユーザーが摂取しようとする飲食物に関する食事情報が入力されるユーザー端末とネットワークを介して接続されたサーバであって、
前記サーバは、前記ユーザー端末から送信された前記食事情報を受信する受信部と、
前記飲食物に含まれる栄養素及び／または熱量に関する飲食物情報、並びに栄養素及び／または熱量についての前記ユーザーの摂取目標値が記憶された記憶部と、
前記食事情報に対応する前記飲食物情報と前記摂取目標値とを比較する演算部と、
前記飲食物情報が前記摂取目標値を超えているときに、前記飲食物の食べ残し方を作成する食べ残し方作成部とを備えた、サーバ。
【請求項１２】
ユーザーが摂取しようとする飲食物に関する食事情報を入力する入力部と、
前記飲食物に含まれる栄養素及び／または熱量に関する飲食物情報、並びに栄養素及び／または熱量についての前記ユーザーの摂取目標値が記憶された記憶部と、
前記食事情報に対応する前記飲食物情報と前記摂取目標値とを比較する演算部と、
前記飲食物情報が前記摂取目標値を超えているときに、前記飲食物の食べ残し方を作成する食べ残し方作成部とを備えた飲食管理装置を用い、
前記食事情報に対応する前記飲食物情報と前記摂取目標値とを比較する工程と、
前記飲食物情報が前記摂取目標値を超えているときに、前記飲食物の食べ残し方を作成する工程とを含む、飲食管理方法。
【請求項１３】
前記飲食物情報は、前記飲食物を構成する複数の食品それぞれに含まれる栄養素及び／または熱量に関する情報を有し、
前記飲食物の食べ残し方を作成する工程において、前記複数の食品のうちいずれかを除いた前記飲食物の飲食物情報と前記摂取目標値とを再度比較する、請求項１２記載の飲食管理方法。
【請求項１４】
請求項１２または１３に記載の飲食物管理方法の各工程をコンピュータに実行させるためのプログラム。
【発明の詳細な説明】
【技術分野】
【０００１】
本発明は健康に関心の高い個人または食事療法を必要とする個人に対し、個人が要望する飲食物の適切な摂取方法を作成する飲食管理装置、飲食管理システム及び飲食管理方法に関する。
【背景技術】
【０００２】
近年、がん、心臓病、脳卒中、糖尿病などの生活習慣病患者の増加に伴い、これら生活習慣病と密接に関連のある食事、運動、休養などを見直すことで疾病の状態を軽減したり、または疾病の発症そのものを予防したりする「一次予防」の考え方が重要視されている。中でも食事療法は疾病予防及び疾病改善の効果が高い要素とされているが、栄養に関する知識をあまり持ち合わせていない一般人にとって、一日の栄養バランスや一日の栄養摂取基準などを考慮して最適な飲食物を選択することは決して容易なことではない。生活習慣病などの疾病を既に発症してしまった個人にとって、食事療法は必須であるにも関わらず、飲食管理を継続できずに失敗してしまうケースが多く発生している。飲食管理は大変な我慢と忍耐を必要とするため、結果的に食事療法を継続できずに合併症を併発するなど症状が重くなってしまうのである。飲食は多くの人達にとって楽しみの一つであり、いかに食事療法のストレスを軽減し、食事療法を継続させ、正しい食習慣を身に付けさせるかという事が栄養指導の重要なテーマとなっている。
【０００３】
これらを背景に、従来、主にレストランでの飲食や調理済みの飲食物を購入または注文する際において、飲食に先立って指定した飲食物の飲食の可否を判断する技術が提案されていた（例えば、特許文献１参照）。
【０００４】
特許文献１に記載された従来の飲食管理システムを図３７に示す。このシステムは、飲食に先立って健康管理端末６００の操作キー６０１から飲食物を指定する情報を入力することにより、健康情報管理装置６１０に保存された飲食管理情報と飲食物情報とを健康管理端末６００に転送することで、健康管理端末６００が飲食の可否を判断し、判断結果を液晶ディスプレイ６０２に出力する。また、飲食が管理されるべき個人が飲食を行おうとする際に、飲食に先立って飲食物を指定する情報の入力を行うことにより、その飲食物に含まれる栄養素の量・熱量と個人の診療結果に基づいて一日に摂取が許される栄養素の量・熱量とを比較し、飲食の可否を迅速に判別するという点に特徴がある。この構成によれば、摂取が許される量を超えた栄養素及び熱量を含む飲食物をユーザーが指定した場合、その飲食物の摂取を不可とすることで飲食管理が可能となる。
【特許文献１】特開２００２−７３８１７号公報
【発明の開示】
【発明が解決しようとする課題】
【０００５】
しかし、この従来の構成では、個人が指定した飲食物について飲食可または飲食不可のどちらか一方のみを判断するに留まっているため、ユーザーの希望する飲食物に含まれる栄養素の量及び熱量が、たとえ僅かでも摂取が許される栄養素の量及び熱量を超えると、ユーザーの希望する飲食物は摂取不可能となっていた。
【０００６】
本発明は上記の問題点を解決するもので、個人が選択した飲食物に含まれる栄養素の量及び／または熱量が、摂取が許される栄養素の量及び／または熱量の範囲を超えていたとしても、その飲食物の一部を食べ残す方法を作成することができる飲食管理装置、飲食管理システム及び飲食管理方法を提供することを目的とする。
【課題を解決するための手段】
【０００７】
前記従来の課題を解決するために、本発明の飲食管理装置は、ユーザーが摂取しようとする飲食物に関する食事情報を入力する入力部と、前記飲食物に含まれる栄養素及び／または熱量に関する飲食物情報、並びに栄養素及び／または熱量についての前記ユーザーの摂取目標値が記憶された記憶部と、前記食事情報に対応する前記飲食物情報と前記摂取目標値とを比較する演算部と、前記飲食物情報が前記摂取目標値を超えているときに、前記飲食物の食べ残し方を作成する食べ残し方作成部とを備えている。
【０００８】
また、本発明の飲食管理システムは、ユーザーが摂取しようとする飲食物に関する食事情報を入力する入力部と、前記食事情報を送信する送信部とを備えたユーザー端末と、前記ユーザー端末とネットワークを介して接続されたサーバとを含み、前記サーバは、前記ユーザー端末から送信された前記食事情報を受信する受信部と、前記飲食物に含まれる栄養素及び／または熱量に関する飲食物情報、並びに栄養素及び／または熱量についての前記ユーザーの摂取目標値が記憶された記憶部と、前記食事情報に対応する前記飲食物情報と前記摂取目標値とを比較する演算部と、前記飲食物情報が前記摂取目標値を超えているときに、前記飲食物の食べ残し方を作成する食べ残し方作成部とを備えている。
【０００９】
また、本発明の飲食管理方法は、ユーザーが摂取しようとする飲食物に関する食事情報を入力する入力部と、前記飲食物に含まれる栄養素及び／または熱量に関する飲食物情報、並びに栄養素及び／または熱量についての前記ユーザーの摂取目標値が記憶された記憶部と、前記食事情報に対応する前記飲食物情報と前記摂取目標値とを比較する演算部と、前記飲食物情報が前記摂取目標値を超えているときに、前記飲食物の食べ残し方を作成する食べ残し方作成部とを備えた飲食管理装置を用い、前記食事情報に対応する前記飲食物情報と前記摂取目標値とを比較する工程と、前記飲食物情報が前記摂取目標値を超えているときに、前記飲食物の食べ残し方を作成する工程とを含む。
【発明の効果】
【００１０】
本発明によれば、個人が選択した飲食物に含まれる栄養素の量及び／または熱量が、摂取が許される栄養素の量及び／または熱量の範囲を超えていたとしても、その飲食物の一部を食べ残す方法を作成することができる飲食管理装置、飲食管理システム及び飲食管理方法を提供することができる。
【発明を実施するための最良の形態】
【００１１】
本発明の飲食管理装置は、ユーザーが摂取しようとする飲食物に関する食事情報を入力する入力部と、前記飲食物に含まれる栄養素及び／または熱量に関する飲食物情報、並びに栄養素及び／または熱量についての前記ユーザーの摂取目標値が記憶された記憶部と、前記食事情報に対応する前記飲食物情報と前記摂取目標値とを比較する演算部と、前記飲食物情報が前記摂取目標値を超えているときに、前記飲食物の食べ残し方を作成する食べ残し方作成部とを備えている。
【００１２】
このようにすると、ユーザーがこれから摂取しようとする飲食物に含まれる栄養素の量及び／または熱量が、そのユーザーが摂取を許された栄養素の量及び／または熱量、すなわち摂取目標値の範囲内か否かを飲食に先立って判別し、その飲食物に含まれる栄養素の量及び／または熱量が摂取目標値を超えていたとしても、その飲食物の食べ残し方を作成することができる。従来のように飲食物全体を飲食不可と判定するのではなく、その飲食物のうち少なくとも一部は食べることができる方法を求めることができるので、無理なく飲食管理を実現できる。飲食物の食べ残し方としては、例えば塩分摂取に制限がある場合に、調味料を控えたり、汁物の摂取量を半分に抑えたりするなどの方法が挙げられる。
【００１３】
本発明の飲食管理装置のユーザーとしては、健康に関心の高い個人、食事療法を必要とする個人等が挙げられる。
【００１４】
本発明の飲食管理装置において、前記記憶部が前記ユーザーの飲食履歴情報をさらに記憶しており、前記演算部は、前記食事情報に対応する前記飲食物情報と前記飲食履歴情報との合計と、前記摂取目標値とを比較し、前記食べ残し方作成部は、前記飲食物情報と前記飲食履歴情報との合計が前記摂取目標値を超えているときに、前記飲食物の食べ残し方を作成してもよい。
【００１５】
このようにすると、ユーザーが摂取しようとする飲食物に含まれる栄養素の量及び／または熱量が摂取目標値の範囲内か否かを判別するときの判別が、個人の飲食履歴情報に基づいて行われるため、食事パターンの変化に柔軟に対応できる。個人が摂取する飲食物は日々変動しており、日によっては外食を楽しんだり、または朝食を抜いたりすること等も発生するため、飲食履歴情報の内容に応じては、個人が摂取しようとする飲食物が、飲食可能となったりまたは飲食不可能となったりすることがある。例を挙げると、塩分摂取制限のある個人であっても、朝食、昼食時に塩分の少ない飲食物を摂取した場合であれば、夕食は外食など塩分が多めの食事を家族と一緒に楽しむことも可能となる。逆に、朝食、昼食、菓子類などで塩分を多く摂取してしまった場合には、夕食は極めて塩分量の少ない飲食物しか飲食できないことになる。結果的に、個人の裁量に応じて飲食のメリハリをつけることができる。
【００１６】
ここで、前記飲食物情報は、前記飲食物を構成する複数の食品それぞれに含まれる栄養素及び／または熱量に関する情報を有することが好ましい。
【００１７】
このようにすると、飲食物の食べ残し方を作成するときに、飲食物を構成する食品を単位として、飲食物を構成する複数の食品のうち少なくとも１つを含むような食べ残し方を抽出することができる。
【００１８】
さらに、前記飲食物情報は、前記飲食物に含まれる調味料の栄養素及び／または熱量に関する情報を有することが好ましい。
【００１９】
このようにすると、飲食物の食べ残し方を作成するときに、その飲食物に含まれる調味料も含むような食べ残し方を作成することができる。
【００２０】
さらに、前記ユーザーが一日の起点となる時刻を指定する起点時刻指定部を備え、前記演算部は、前記記憶部に記憶された前記飲食履歴情報の中から、前記指定された時刻を起点する一日分の前記飲食履歴情報を抽出し、前記食事情報に対応する前記飲食物情報と前記一日分の飲食履歴情報との合計と、前記摂取目標値とを比較してもよい。
【００２１】
このようにすると、個人の飲食履歴情報をシステムが読み出す過程において、入力された情報を読み出す起点となる時間をユーザーが自由に設定することができる。一日単位の飲食管理を行う場合、飲食可能な飲食物は、一日の後半になればなるほど過去の飲食状況に左右されるため、個人がどの食事に重きをおいているかなどの観点から起点となる時刻を設定できることが好ましい。例えば、夕食はなるべく摂取目標値にしばられず、ある程度食べたいものを食べたい個人にとっては、一日の起点となる時間を夕食前の時間帯に設定することにより、朝食及び昼食と比較して夕食についてはより自由に飲食物を選択することができる。
【００２２】
さらに、前記飲食物情報は、前記飲食物を構成する複数の食品及び／または調味料のうち、組み合わせて食べ残される食品及び／または調味料に関する情報を含んでいてもよい。
【００２３】
このようにすると、食べ残し方を作成する過程において、通常組み合わせて飲食される複数の食品及び／または調味料については、食べ残すものとして、その組み合わせに含まれるいずれかの食品及び／または調味料が選択されるときには、その組み合わせに含まれる残りの食品及び／または調味料も同時に抽出されるようにすることができる。このような食品及び／または調味料の組み合わせとしては、例えば漬物と付け醤油のように通常組み合わせて飲食されるものが挙げられる。
【００２４】
前記飲食物情報は、前記食品の一部に含まれる栄養素及び／または熱量に関する情報を有してもよい。
【００２５】
このようにすると、飲食物を構成する複数の食品のうち、１つの食品のすべてを食べ残すのではなく、その食品の一部のみを食べ残すような食べ残し方を作成することができるので、食べ残し方法に関する選択肢を増やすことが可能となる。例えば食塩摂取量を０．５ｇ減らしたいときに、味噌汁１杯すべてを残さなくても、味噌汁１／２杯を残すことで目的を達成できるときになどに有効である。
【００２６】
さらに、前記記憶部が前記ユーザーの一日あたりの栄養素別食事摂取基準値をさらに記憶しており、前記演算部は前記栄養素別食事摂取基準値及び前記飲食物情報とに基づいて、前記栄養素別食事摂取基準値に対する充足率を算出し、前記食べ残し方作成部は、前記飲食物を構成する複数の食品のうち、前記充足率が最も高い栄養素を含む食品を食べ残すように前記飲食物の食べ残し方を作成してもよい。
【００２７】
一日あたりの栄養素別食事摂取基準値とは、健康人を対象に健康維持、健康増進、生活習慣病予防を目的として一次予防効果を期待する数値として標準となるエネルギー及び各栄養素の摂取量を算定したものであり、各栄養素（脂質、たんぱく質、炭水化物、ビタミン、無機質、塩分）及びエネルギーの摂取基準、または所要量を指す。このようにすると、栄養バランスを考慮した食べ残し方法に関するアドバイスを出力することができる。個人の飲食履歴に基づいて、一日あたりの栄養素別食事摂取基準値の充足率を参照し、過剰に摂取された栄養素を多く含む飲食物を食べ残し、逆に不足している栄養素を多く含む飲食物を摂取するよう食べ残し方法をアドバイスすることで、栄養バランスを保つことができる。
【００２８】
さらに、前記記憶物が前記ユーザーの疾病情報及び疾病の種類と摂取されるべき栄養素との組み合わせに関する疾病別栄養情報をさらに記憶しており、前記食べ残し方作成部は、前記疾病情報及び前記疾病別栄養情報に基づいて、前記飲食物を構成する複数の食品のうち、前記ユーザーが摂取すべき栄養素を最も少なく含む食品を食べ残すように前記飲食物の食べ残し方を作成してもよい。
【００２９】
このようにすると、個人の疾病情報に基づいて食べ残し方法に関するアドバイスを出力することができる。つまり、疾病を有する個人に、疾病の改善効果の高い栄養素を多く摂取するようにアドバイスする方法である。システムは、疾病の改善効果が高い栄養素が多く含まれる飲食物を摂取し、逆にその栄養素が少なく含まれる飲食物を食べ残す候補を抽出する。結果的に個人は、一日あたりの栄養素の量及び／または熱量の摂取目標値を守りつつ、さらに疾病の改善効果が高い栄養素を多く摂取することが可能となる。
【００３０】
また本発明の飲食管理システムは、ユーザーが摂取しようとする飲食物に関する食事情報を入力する入力部と、前記食事情報を送信する送信部とを備えたユーザー端末と、前記ユーザー端末とネットワークを介して接続されたサーバとを含み、前記サーバは、前記ユーザー端末から送信された前記食事情報を受信する受信部と、前記飲食物に含まれる栄養素及び／または熱量に関する飲食物情報、並びに栄養素及び／または熱量についての前記ユーザーの摂取目標値が記憶された記憶部と、前記食事情報に対応する前記飲食物情報と前記摂取目標値とを比較する演算部と、前記飲食物情報が前記摂取目標値を超えているときに、前記飲食物の食べ残し方を作成する食べ残し方作成部とを備えている。
【００３１】
このようにすると、飲食管理に必要な情報を備えた記憶部、演算部及び食べ残し方作成部がサーバに格納されているため、ユーザー端末は大容量のメモリを必要とせず、また複雑な情報処理を短時間に実施するための高度な処理能力を必要としないので、ユーザー端末の構成を簡素化することができるという効果を有する。
【００３２】
また本発明のサーバは、ユーザーが摂取しようとする飲食物に関する食事情報が入力されるユーザー端末とネットワークを介して接続されたサーバであって、前記サーバは、前記ユーザー端末から送信された前記食事情報を受信する受信部と、前記飲食物に含まれる栄養素及び／または熱量に関する飲食物情報、並びに栄養素及び／または熱量についての前記ユーザーの摂取目標値が記憶された記憶部と、前記食事情報に対応する前記飲食物情報と前記摂取目標値とを比較する演算部と、前記飲食物情報が前記摂取目標値を超えているときに、前記飲食物の食べ残し方を作成する食べ残し方作成部とを備えている。
【００３３】
また本発明の飲食物管理方法は、ユーザーが摂取しようとする飲食物に関する食事情報を入力する入力部と、前記飲食物に含まれる栄養素及び／または熱量に関する飲食物情報、並びに栄養素及び／または熱量についての前記ユーザーの摂取目標値が記憶された記憶部と、前記食事情報に対応する前記飲食物情報と前記摂取目標値とを比較する演算部と、前記飲食物情報が前記摂取目標値を超えているときに、前記飲食物の食べ残し方を作成する食べ残し方作成部とを備えた飲食管理装置を用い、前記食事情報に対応する前記飲食物情報と前記摂取目標値とを比較する工程と、前記飲食物情報が前記摂取目標値を超えているときに、前記飲食物の食べ残し方を作成する工程とを含む。
【００３４】
ここで、前記飲食物情報は、前記飲食物を構成する複数の食品それぞれに含まれる栄養素及び／または熱量に関する情報を有し、前記飲食物の食べ残し方を作成する工程において、前記複数の食品のうちいずれかを除いた前記飲食物の飲食物情報と前記摂取目標値とを再度比較してもよい。
【００３５】
また本発明は、上記飲食物管理方法の各工程をコンピュータに実行させるためのプログラムに関する。
【００３６】
以下、本発明の実施の形態について、図面を参照しながら説明する。
【００３７】
（実施の形態１）
図１は、本発明の実施の形態における飲食管理装置の構成図である。
【００３８】
なお、本実施の形態では、本発明における飲食管理装置であるスタンド・アローンの情報端末１、およびその周辺機器のみで飲食管理システムを構成した場合の例である。
【００３９】
図１は本発明である飲食管理装置の実施の形態１を示すブロック図である。図１に示す例では、入力部１０はマウスやキーボードなどで実現され、飲食管理装置の初期設定に必要な情報や、個人が摂取しようとする飲食物に関する食事情報などの入力操作が行われる。入力部１０より入力された情報は、記憶部５０に保存される。記憶部５０は複数のデータファイルを有し、個人の属性、身体データなどに関する個人情報１００、個人が摂取した飲食物に関する食事情報が蓄積されている飲食履歴情報２００、飲食物に含まれる栄養素及び／または熱量に関する飲食物情報３００、個人の摂取が許される栄養素の量及び／または熱量の摂取目標値４００、疾病別に摂取すべき栄養素情報が保存された疾病別栄養情報５００などで構成されている。演算部２０は、入力部１０から入力された食事情報に対応する飲食物情報３００と前記摂取目標値４００との比較を行う。食べ残し方作成部３０は、演算部２０の比較の結果に基づいて、飲食物情報が摂取目標値を越えているときに、飲食物の食べ残し方を作成する。表示部４０は、作成された飲食物の食べ残し方等を画面上に表示するディスプレイである。入力部１０は、起点時刻指定部としても機能する。
【００４０】
以下、本実施の形態の飲食管理装置の動作について説明する。
【００４１】
個人は、飲食管理装置を利用するのに先立って、初期設定を行う。まず、入力部１０より個人情報を入力する。図２に示すように、個人情報として例えば氏名、性別、生年月日、年齢、身長、体重、生活強度、妊産婦の有無、疾病に関する情報、パスワードなどの情報を入力する。さらに、一日の起点となる時刻も入力する。これは飲食履歴情報を一日単位で保存するための起点となる時刻である。例えば、夕食前の時間を一日の起点としたい場合に１８：００と設定するなどである。さらに、個人の摂取が許される一日あたりの栄養素の量及び／または熱量の摂取目標値も登録する。摂取目標値は、医療または栄養の専門家による指導に基づいて設定された値、またはダイエットなどの美容目的のために個人自ら設定した値である。例えば、高血圧症を有する個人が塩分摂取量を一日７ｇ以内に抑えるよう指導された場合、食塩摂取量の摂取目標値を７ｇと入力する。このように入力された情報は、個人情報１００または摂取目標値４００として記憶部５０に登録される。
【００４２】
次に、個人情報１００から身長、体重、性別、年齢、生活強度、妊産婦の有無に関する情報を読み出し、図３に示すように個人の基礎代謝量、ＢＭＩ指数（ボディ・マス・インデックス）及び一日あたりの栄養素別食事摂取基準値を算出し、表示する。算出結果は個人情報１００として記憶部５０に再度登録される。
【００４３】
図４は、登録された情報を一覧表示したイメージである。ここで個人は登録された情報を確認し、内容に間違いがあれば訂正する。なお、登録された情報はシステム起動時に随時変更できる。ここで、初期設定に関する動作は終了する。
【００４４】
図５に、２回目以降の飲食管理装置の動作の基本フローを示す。
【００４５】
まず、図６に示すように入力部１０よりパスワードの入力後、初回に登録された情報に変更がないかの確認を行う（ステップ１０１）。個人情報に変更ありが選択された場合は、図７に示す画面が表示され、変更項目を選択し、登録内容の修正を行う（ステップ１０２）。飲食管理装置の表示例として、高血圧症を有し、且つ肥満気味で一日の塩分摂取量を７ｇ以下に指導されている個人の例を用いて説明する。
【００４６】
次に、図８に示す画面が表示され、記憶部５０に保存されている飲食履歴情報２００を読み出し、図９に示す個人の飲食履歴が表示される。（ステップ１０３）。飲食履歴には、システム起動時刻から初回時に登録した一日の起点となる時刻まで遡って、個人が摂取した飲食物の名称及び飲食物に含まれる栄養素の量及び／または熱量、及び一日あたりの栄養素別食事摂取基準値に対する栄養摂取の充足率が表示される。ここで個人は飲食履歴を参照し、現時点での栄養バランスや摂取目標値の達成状況などの確認を行う。図９に示す例では、現時点での食塩摂取量は４．６６ｇと表示されている。このように、現在の塩分摂取量の確認後、これから摂取予定の飲食物の選択を行う。
【００４７】
まず記憶部５０の飲食物情報３００を読み出し、個人に飲食物の入力を促す。飲食物に関する情報を入力するにあたって図１０に示す飲食物に関するカテゴリー選択画面が表示される。カテゴリー選択画面は、「家庭で調理」、「外食」、「調理済み食品購入」の３種類から成り、個人はこれから摂取しようとする飲食物が属するカテゴリーを選択する（ステップ１０４）。「家庭で調理」は、料理本のメニューをダウンロードしたものや、登録されたオリジナルメニューなどであり、「外食」は主に飲食店などで提供されるメニューであり、「調理済み食品購入」はスーパーや弁当屋等で販売されている調理済みの惣菜や弁当である。
【００４８】
飲食物に関するカテゴリーが選択されると、図１１に示す飲食物入力画面が表示され、これから摂取しようとする飲食物を選択する(ステップ１０５)。飲食物の選択方法は、キーワード検索、材料別検索、五十音別検索、店名検索などにより当該飲食物を選択することにより簡単に入力できるように情報端末１を構成することが好ましいが、これらに限定されない。なお、飲食物を選択する際は、飲食物に添加するドレッシング類、コーヒーに添加する砂糖、ミルクなどの調味料も詳細に入力することが好ましい。その理由は、添加物の量によって各栄養素の実際の摂取量が大きく増減する場合があり、その影響を加味した分析を実施することが可能となるからである。以下、個人がＡ食堂のエビフライ定食を選択した場合の例について詳細に説明する。
【００４９】
飲食物（この例ではエビフライ定食）の選択後、図１２に示す画面が表示され、選択されたメニューを確認する。次に、演算部２０が飲食物情報３００を読み出し、エビフライ定食の栄養素の総量及び／または熱量の総量を算出し(ステップ１０６)、摂取目標値４００との比較を行う（ステップ１０７）。図１３は、エビフライ定食を全て摂取すると個人の摂取目標値である７ｇ／日を２．２６ｇ超えてしまう一例を示している。ここで、個人は他の飲食物を再度選択するか、食べ残し方法を検索するかのいずれかを選択する（ステップ１０８）。
【００５０】
また、エビフライ定食を全て摂取しても、目標の範囲内に納まっている場合は、飲食物決定となり終了する。
【００５１】
次にステップ１０８で「食べ残し方法を検索する」を選択した場合の例を説明する。図１４に示すように、食べ残し方法に関する３種類のモードを表示する（ステップ１０９）。個人は、任意選択モード、疾病管理モード、栄養バランスモードのいずれかのモードに従って食べ残し候補を決定し（ステップ１１０）、終了する。
【００５２】
以下、各モードに従って食べ残し候補を決定する方法について説明する。
【００５３】
図１５は任意選択モードによる食べ残し方法抽出フローである。任意選択モードとは、これから摂取しようとする飲食物（この例ではエビフライ定食）の栄養素及び/または熱量の総量の算出結果を参照しながら、個人の意思で自由に食べ残し候補を選択する方法である。
【００５４】
ステップ１０８で任意選択モードが選択されると、図１６に示す画面が表示され食べ残し候補の表示方法の選択を促す（ステップ２０１）。食べ残し候補とは、個人が選択した飲食物に含まれるいずれかの食品を食べ残す候補であり、分割表示とは、各食品に含まれる栄養素及び／または熱量が、例えば２つに分割して表示されることを示す。
【００５５】
ここで、飲食物を構成する各食品に含まれる栄養素及び／または熱量を食べ残し候補として表示する利点について詳しく説明する。従来例としてエビフライ定食全体の栄養素の量や熱量を表示する技術は存在するが、エビフライ定食を構成する食品の中で何を食べ残したらいいのかについて目安となる値を示す例がみられない。現状では糖尿病患者のための外食ハンドブックなどを使って何を食べ残したらいいのか等についてアドバイスをする例などもあるが、そのアドバイスの内容は画一的で各飲食店の味付けの差異を反映したものではないため、必要以上に飲食の制限を受ける可能性がある。さらに外食ハンドブックのアドバイスは個人の飲食履歴を反映したものではないため、過去の飲食内容によっては飲食可能となる飲食物についても「半分残しましょう」などのように必要以上に飲食の制限を受ける可能性がある。
【００５６】
さらに食べ残し候補の２分割表示の利点は、食べ残し候補を選択する際に、味噌汁を半量と、漬物を半量食べ残すなどの選択肢が可能になる点である。結果的に、食べ残し候補の組み合わせが増えることになる。
【００５７】
図１７は、個人が選択したエビフライ定食の食べ残し候補の表示方法として「２分割表示する」を選択した例である。
【００５８】
ステップ２０１で食べ残し候補の表示方法が選択されると、演算部２０は飲食物情報３００からＡ食堂のエビフライ定食を抽出し、エビフライ定食を構成する各食品であるご飯、味噌汁、エビフライ、ソース類などに含まれる栄養素の量及び／または熱量を２分割表示する（ステップ２０２）。エビフライ定食を構成する各食品は、エビフライをさらにエビと衣のように細かく分類しても良い。またエビフライ定食の栄養評価の表示方法として、表中の食塩含有量に該当する部分を太字表示、または色づけして表示するとよりわかり易い。このように個人はエビフライ定食を構成する各食品の栄養素の量や熱量を参照し、食べ残し候補を選択する（ステップ２０３）。
【００５９】
次に図１８に示す画面が表示され、ステップ２０３で選択した食べ残し候補を確認する（ステップ２０４）。ここでは食べ残し候補としてきゅうりぬか漬け１／２量が２つと、付け醤油１／２が２つ選択されているため、きゅうりぬか漬け１、付け醤油１として表示されている。ここで演算部２０はエビフライ定食からきゅうりぬか漬け１と付け醤油１を差し引いた総塩分量と摂取目標値の７ｇとの比較を行う（ステップ２０５）。比較の結果、摂取目標値の範囲内に収まっていれば、図１９に示す画面が表示され、食べ残し候補決定となり終了する。一方摂取目標値の範囲外であれば、図２０に示す画面が表示され、再度食べ残し方法を検索するか、または再度飲食物を選択するかいずれかを選ぶように促す（ステップ２０５）。
【００６０】
図２１は疾病管理モードによる食べ残し抽出フローである。これは個人が有する疾病の改善効果の高い栄養素を多く摂取するべく、システムが食べ残し方法をお勧め食べ残し候補として抽出する方法である。
【００６１】
まず図２２に示すように、疾病管理モードが選択されと、個人情報１００に登録された疾病に関する情報を読み出し（ステップ３０１）、該当する疾病の改善効果の高い栄養素について疾病別栄養情報５００を読み出し、検索する（ステップ３０２）。図２３は疾病別栄養情報５００の一例である。
【００６２】
次に、図２４に示すように、個人が有する疾病の改善効果が高い栄養素を抽出し表示する（ステップ３０３）。この例では、個人は高血圧症を有するため、高血圧症の改善または予防効果の高い栄養素としてカリウム、カルシウム、たんぱく質などが表示されており、個人は積極的に摂取したい栄養素としてカリウムを選択している。
【００６３】
次に、図２５に示す画面が表示され、食べ残し候補の表示方法（分割表示なし、２分割表示）の選択を促す（ステップ３０４）。ここでは、個人が「２分割表示する」を選択した例について説明する。
【００６４】
次に、飲食物情報３００からエビフライ定食の栄養素及び熱量の総量を読み出し、カリウムを最大限に摂取しながら、摂取目標値（食塩７ｇ）を実現する食べ残し方の組み合わせを抽出する（ステップ３０５）。図２６は、ステップ３０５の抽出条件に従って一時的に作成された食べ残し候補テーブルである。カリウムは積極的に摂取したい栄養素であるため、食べ残す候補としては反対にカリウムの含有量が少ない飲食物が候補として抽出される。
【００６５】
次に、飲食物情報３００に保存されている飲食物の組み合わせに関する依存情報に従って抽出内容を補正する（ステップ３０６）。エビフライ定食の例では、きゅうりのぬか漬けと付け醤油、エビフライとタルタルソース、野菜サラダとフレンチドレッシング、コーヒーと砂糖とミルクは、組み合わせて食べ残されるものであるため、互いに関連づけられた組み合わせとして依存情報に保存されている。この関係は、エビフライ（主）とタルタルソース（従）のように親子関係となっており、主の飲食物が選択されると、従の飲食物も同時に抽出される。例えば、きゅうりのぬか漬け一皿が食べ残す候補として抽出されると、同時にきゅうりのぬか漬けにかける付け醤油も自動的に食べ残し候補に抽出される。きゅうりのぬか漬け１／２皿のみが食べ残す候補に抽出された場合は、付け醤油は抽出されない。このようにして、食べ残し候補の内容に関する補正を行う。
【００６６】
また、食べ残し候補に関する組み合わせを抽出するにあたって、調味料を優先的に食べ残し候補として抽出する機能をもたせても良い。このような構成にすれば、例えばエビフライ定食中のタルタルソースや、フレンチドレッシング、付け醤油などの調味料を優先的に抽出することにより、量的に満足感を得つつ総塩分摂取量を抑えることが可能となる。
【００６７】
このようにシステムは、食べ残し候補の組み合わせの決定及び順位付けを行い、お勧め候補として図２７に示す画面を表示し（ステップ３０７）、食べ残し候補を選択するよう促す（ステップ３０８）。
【００６８】
食べ残し候補が選択されると、図２８に示す画面が表示され、ステップ３０８で決定した食べ残し候補の内容を確認し、再度摂取目標値と比較するように促す（ステップ３０９）。
【００６９】
摂取目標値との比較結果、個人が選択した食べ残し候補の食品を残した場合の総塩分摂取量が表示される。図２９は、エビフライ１／２、タルタルソース、きゅうりのぬか漬け１／２、付け醤油、フレンチドレッシングを残した場合、食塩摂取量は６．５ｇとなり摂取目標値７ｇの範囲内に収まっている一例である。
【００７０】
このように比較の結果、摂取目標値の範囲内に収まっていれば食べ残し候補決定となり終了する。一方摂取目標値の範囲外であれば、再度食べ残し方法を検索するか、または再度飲食物を選択するかいずれかを選ぶように促す。
【００７１】
一方、図３０は栄養バランスを優先する栄養バランスモードによる食べ残し抽出フローである。栄養バランスモードとは、一日の栄養バランスを考慮し、充足率の低い栄養素を積極的に摂取しながら摂取目標値の範囲内に収まるべく食べ残し方法を抽出する方法である。
【００７２】
まず、個人が栄養バランスモードを選択すると、記憶部５０に保存された飲食履歴情報２００を読み出し（ステップ４０１）、一日あたりの栄養素別食事摂取基準値に対する充足率が低い栄養素を特定し、表示する（ステップ４０２）。図３１に示す例では、ビタミンＥの充足率が１６．４５％と最も低くなっている。
【００７３】
次に、食べ残し候補の表示方法（分割表示なし、２分割表示）の選択を促す（ステップ４０３）。ここでは、図３２に示すように、個人が「２分割表示する」を選択した例について説明する。
【００７４】
次に食べ残し方作成部３０は、エビフライ定食の栄養素及び熱量を読み出し、ビタミンＥを最大限に摂取しながら、摂取目標値（食塩７ｇ）を実現できる組み合わせを抽出する（ステップ４０４）。
【００７５】
さらに演算部２０は、飲食物情報３００に保存された飲食物の組み合わせに関する依存情報に従って抽出内容を補正する（ステップ４０５）。
【００７６】
演算部２０は、食べ残し候補の組み合わせの決定及び順位付けを行い、お勧め候補として図３３に示す画面を表示し（ステップ４０６）、個人は表示されたお勧め候補から食べ残し候補を選択する（ステップ４０７）。
【００７７】
最後に図３４に示す画面が表示され、ステップ４０７で決定した食べ残し候補の内容を確認し、再度摂取目標値と比較するように促す（ステップ４０８）。
【００７８】
摂取目標値との比較結果、個人が選択した食べ残し候補の食品を残した場合の総塩分摂取量が表示される。図３５は、エビフライ１／２、味噌汁１、きゅうりのぬか漬け１／２、フレンチドレッシングを残した場合、食塩摂取量は６．７６ｇとなり摂取目標値７ｇの範囲内に収まっている一例である。
【００７９】
このように比較の結果、摂取目標値の範囲内に収まっていれば食べ残し候補決定となり終了する。一方摂取目標値の範囲外であれば、再度食べ残し方法を検索するか、または再度飲食物を選択するかいずれかを選ぶように促す。
【００８０】
このように、個人は、各モードに従って食べ残しの候補を決定する。
【００８１】
なお、以上の例では飲食物を食べ残すことによって栄養素及び熱量の過剰摂取を抑制する場合についてのみ記載しているが、例えば不足栄養素を補うための追加飲食物の候補をアドバイスするなどの機能を持たせることがより好ましい。また飲食物を選択する際に、飲食物に添加するソースやドレッシングなどの添加物を摂取することにより、塩分や熱量などの摂取量が過剰とならないよう、予め添加物の量を抑えるよう促す警告文をアドバイスとして出力するなど、多様なアドバイスを出力することがさらに好ましいと考えられる。
【００８２】
なお、本実施の形態における飲食管理装置は、情報端末１のみにて構成されているが、例えば情報端末１に外部記憶メディアを接続できるように構成し、当該メディア内部に飲食物情報を保存する機能を持たせておくことが、より好ましい。この場合、メディアを入れ替えることにより、より多くの飲食物情報を取り出すことが可能となり、多種多様な飲食物にも対応可能となる。
【００８３】
（実施の形態２）
図３６に本発明の実施形態２に関わる飲食管理システムの構成図を示す。本実施の形態は、情報端末１が通信機能を有し、外部のサーバ２との通信により飲食管理を実施するものである。なお、実施形態１と同一の構成要素については同一の符号を用いている。
【００８４】
本実施の形態における飲食管理システムは、ユーザー端末である情報端末１とネットワークを介して接続されたサーバ２とを備えている。情報端末１は、飲食が管理されるべき個人が摂取しようとする飲食物に関する情報を入力する入力部１０と、入力部１０から入力された上記飲食物に関する食事情報をサーバ２に送信する送信部及びサーバ２により作成された食べ残し方等をサーバ２から受信する受信部として機能する通信部６０と、サーバ２から受信した食べ残し方等を表示する表示部４０とを備えている。サーバ２は、情報端末１から送信された上記飲食物に関する食事情報を受信する受信部７０と、上記飲食物に含まれる栄養素及び／または熱量に関する飲食物情報３００、並びに前記個人の摂取が許される栄養素の量及び／または熱量の摂取目標値４００が記憶された記憶部５０と、受信部７０により受信された食事情報に対応する飲食物情報と上記摂取目標値４００とを比較する演算部２０と、演算部２０における比較の結果に基づいて、上記飲食物情報が上記摂取目標値４００を超えているときに、上記飲食物の食べ残し方を作成する食べ残し方作成部３０と、作成された食べ残し方等を情報端末１に送信する送信部８０とを備えている。
【００８５】
この構成によれば、飲食管理システムは、サーバ２に、飲食管理システムの利用に必要な情報が格納された記憶部５０、演算部２０及び食べ残し方作成部３０が設けられているため、情報端末１は大容量のメモリを必要とせず、また複雑な情報処理を短時間に実施するための高度な処理能力を必要としない。
【００８６】
本実施の形態の飲食管理システムの動作は、ほぼ実施の形態１と同一であるが、情報端末１で行っていた情報処理のほとんどをサーバ２で行う点で異なっている。すなわち、情報端末１は情報の入力及び出力されたアドバイスの表示のみに用いられ、実施の形態１において情報端末１が行っていた他の動作は、すべてサーバ２で行われる。なお、情報端末１に入力された情報とサーバ２の保有している情報及び演算結果をやりとりするために、互いに通信機能によって接続されている。なお、サーバ２の動作は実施の形態１に詳述した内容と重複するので、ここでは省略する。
【００８７】
本実施の形態のように、情報端末１に必要最小限の機能だけ残し、大きなサーバ２に大部分の機能を移設することにより、例えば携帯電話のような携帯端末による飲食管理が可能となる。これにより、このシステムの利便性が大幅に向上できる。
【００８８】
なお、個人情報保護の観点から、通信の際にはデータが暗号化されていることが好ましい。
【産業上の利用可能性】
【００８９】
本発明にかかる飲食管理システムは、ユーザーの飲食欲求をできる限り満たしつつ、適切な飲食管理を実現するシステムとして有用である。また、栄養士による栄養指導のためのツールとしての応用などが期待される。
【図面の簡単な説明】
【００９０】
【図１】本発明の一実施の形態における飲食管理装置の構成図
【図２】同飲食管理装置における初期設定画面を示す図
【図３】同飲食管理装置において登録された情報に基づいて算出された一日あたりの栄養素別食事摂取基準値の表示例を示す図
【図４】同飲食管理装置における登録内容確認画面を示す図
【図５】同飲食管理装置における２回目以降の動作フロー図
【図６】同飲食管理装置における起動時の表示画面を示す図
【図７】同飲食管理装置における変更項目選択画面を示す図
【図８】同飲食管理装置における飲食履歴読み出し画面を示す図
【図９】同飲食管理装置における飲食履歴情報参照画面を示す図
【図１０】同飲食管理装置における飲食物カテゴリー選択画面を示す図
【図１１】同飲食管理装置における飲食物入力画面を示す図
【図１２】同飲食管理装置における選択された飲食物の確認画面を示す図
【図１３】同飲食管理装置における摂取目標値との比較結果の表示画面を示す図
【図１４】同飲食管理装置における食べ残し方法検索画面を示す図
【図１５】同飲食管理装置における任意選択モードによる食べ残し方法抽出フロー図
【図１６】同飲食管理装置における任意選択モードによる食べ残し候補に関する表示方法選択画面を示す図
【図１７】同飲食管理装置における任意選択モードによる食べ残し候補選択画面を示す図
【図１８】同飲食管理装置における任意選択モードにより選択された食べ残し候補の確認画面を示す図
【図１９】同飲食管理装置における任意選択モードによる食べ残し候補選択後、摂取目標値との再比較結果の表示画面を示す図
【図２０】同飲食管理装置における食べ残し候補選択後、摂取目標値の範囲外であるときの表示画面を示す図
【図２１】同飲食管理装置における疾病管理モードによる食べ残し方法抽出フロー図
【図２２】同飲食管理装置における疾病改善効果の高い栄養素の読み出し画面を示す図
【図２３】同飲食管理装置における疾病改善効果の高い栄養素テーブルを示す図
【図２４】同飲食管理装置における疾病の改善効果が高い栄養素の表示画面を示す図
【図２５】同飲食管理装置における疾病管理モードによる食べ残し候補に関する表示方法選択画面を示す図
【図２６】同飲食管理装置における疾病管理モードによる食べ残し候補テーブルを示す図
【図２７】同飲食管理装置における疾病管理モードによる食べ残し候補選択画面を示す図
【図２８】同飲食管理装置における疾病管理モードにより選択された食べ残し候補の確認画面を示す図
【図２９】同飲食管理装置における疾病管理モードによる食べ残し候補選択後、摂取目標値との再比較結果の表示画面を示す図
【図３０】同飲食管理装置における栄養バランスモードによる食べ残し方法抽出フロー図
【図３１】同飲食管理装置における一日あたりの栄養素別食事摂取基準値に対する充足率が低い栄養素の表示画面を示す図
【図３２】同飲食管理装置における栄養バランスモードによる食べ残し候補に関する表示方法選択画面を示す図
【図３３】同飲食管理装置における栄養バランスモードによる食べ残し候補選択画面を示す図
【図３４】同飲食管理装置における栄養バランスモードにより選択された食べ残し候補の確認画面を示す図
【図３５】同飲食管理装置における栄養バランスモードによる食べ残し候補選択後、摂取目標値との再比較結果の表示画面を示す図
【図３６】本発明の他の実施の形態における飲食管理システムの構成図
【図３７】従来の健康管理システムの構成図
【符号の説明】
【００９１】
１    情報端末
２    サーバ
１０    入力部
２０    演算部
３０    食べ残し方作成部
４０    表示部
５０    記憶部
６０    通信部
７０    受信部
８０    送信部
１００    個人情報
２００    飲食履歴情報
３００    飲食物情報
４００    摂取目標値
５００    疾病別栄養情報
６００    健康管理端末
６０１    操作キー
６０２    液晶ディスプレイ
６１０    健康情報管理装置
【図１】
2006318169.tif 000003
【図２】
2006318169.tif 000004
【図３】
2006318169.tif 000005
【図４】
2006318169.tif 000006
【図５】
2006318169.tif 000007
【図６】
2006318169.tif 000008
【図７】
2006318169.tif 000009
【図８】
2006318169.tif 000010
【図９】
2006318169.tif 000011
【図１０】
2006318169.tif 000012
【図１１】
2006318169.tif 000013
【図１２】
2006318169.tif 000014
【図１３】
2006318169.tif 000015
【図１４】
2006318169.tif 000016
【図１５】
2006318169.tif 000017
【図１６】
2006318169.tif 000018
【図１７】
2006318169.tif 000019
【図１８】
2006318169.tif 000020
【図１９】
2006318169.tif 000021
【図２０】
2006318169.tif 000022
【図２１】
2006318169.tif 000023
【図２２】
2006318169.tif 000024
【図２３】
2006318169.tif 000025
【図２４】
2006318169.tif 000026
【図２５】
2006318169.tif 000027
【図２６】
2006318169.tif 000028
【図２７】
2006318169.tif 000029
【図２８】
2006318169.tif 000030
【図２９】
2006318169.tif 000031
【図３０】
2006318169.tif 000032
【図３１】
2006318169.tif 000033
【図３２】
2006318169.tif 000034
【図３３】
2006318169.tif 000035
【図３４】
2006318169.tif 000036
【図３５】
2006318169.tif 000037
【図３６】
2006318169.tif 000038
【図３７】
2006318169.tif 000039